(57)【特許請求の範囲】
【請求項１】
送風手段と、触媒と吸着剤が配置された通気孔を有するシート状部材と、放電手段とを具備する空気清浄器であって、前記送風手段にて発生される気流中にシート状部材が配置されるように前記シート状部材を配設すると共に、前記放電手段を、前記シート状部材よりも気流の上流側に配設される前記上流側導電性電極と、前記シート状部材よりも気流の下流側に配設される前記下流側導電性電極とで構成し、前記シート状部材の前面側の表面及び背面側の表面に、それぞれ、導電性塗料を塗布することにより導電層を形成し、前面側に形成された導電層にて前記シート状部材の表面に接する前記上流側導電性電極を、背面側に形成された導電層に前記シート状部材の表面に接する前記下流側導電性電極をそれぞれ形成し、前記シート状部材を断面波状（蛇腹状）に折り曲げ成形し、前記上流側導電性電極と前記下流側導電性電極を前記シート状部材の形状に沿った形状に形成し、前記上流側導電性電極を構成する前記導電層と、前記下流側導電性電極を構成する前記導電層が、一方を構成する隣り合う前記上流側導電性電極を構成する前記導電層、または前記下流側導電性電極を構成する前記導電層の間に、他方を構成する前記下流側導電性電極を構成する前記導電層、または前記上流側導電性電極を構成する前記導電層が配置されるように、互い違いに配置され、前記上流側導電性電極と前記下流側導電性電極の間の放電により、前記シート状部材の全面に均一に放電することを特徴とする空気清浄器。
【発明の詳細な説明】
【０００１】
【発明の属する技術分野】
本発明は、室内の空気中に含まれる粉塵や臭気等を除去することにより空気の清浄化を行う空気清浄器に関するものである。
【０００２】
【従来の技術】
従来より、空気中に含まれる臭気成分を吸着剤によって吸着させて脱臭する手段を備えた室内空気清浄器が提供されている。このような室内空気清浄器では、送風方向に沿って、プレフィルタ、放電極及び対向電極、集塵フィルタ、脱臭フィルタを順次配置し、放電極と対向電極にて粉塵帯電部が構成されている。このような室内空気清浄器では、プレフィルタで大きな粉塵を除去した後、放電極と対向電極との間でコロナ放電を行うことにより粉塵帯電部を通過する空気中の小さな粉塵を帯電させ、この帯電された粉塵を集塵フィルタで捕集した後、脱臭フィルタに組み込んだ吸着剤で脱臭を行うものであった。
【０００３】
しかし、活性炭等の吸着剤は吸着量が飽和するとそれ以上の吸着は起こらず脱臭機能がなくなってしまい、そのため、脱臭フィルタにおける臭気成分の吸着量が多くなると脱臭フィルタの寿命が尽きて、頻繁に交換しなければならなかった。脱臭フィルタの交換頻度を低減するために、吸着剤の使用量を増やすことも考えられるが、その場合は装置の大型化を招き、また脱臭フィルタのコストアップにもつながるという問題がある。
【０００４】
そこで、脱臭フィルタの上流側に触媒を配置すると共にこの触媒を活性化させる触媒励起手段を設け、脱臭フィルタに吸着した臭気成分を分解させることも行われていた。この励起手段として、一対の放電用電極を設ける場合、従来は放電用電極間には何も配置せず、放電用電極の下流側に通気孔を有するシート状部材を配置すると共に、このシート状部材に触媒を配置していた。そして、放電用電極間の放電により発生した酸素ラジカル、イオン、電子等の活性種がシート状部材の触媒に到達することにより触媒を活性化させていた。
【０００５】
【発明が解決しようとする課題】
しかし、上記のような従来技術においては、一対の放電用電極の下流側にシート状部材を配置するため、放電により発生した活性種がシート状部材の触媒に到達するまでの距離が長くなり、しかも一対の放電用電極の内の下流側の電極に酸素ラジカル等が取り込まれやすくなるため、活性種が触媒に到達する確率が低いものであった。そのため、脱臭フィルタにおける臭気成分の吸着に対してこの臭気成分の分解が追いつかず、脱臭フィルタの交換頻度を充分に低減することができないものであった。
【０００６】
本発明は上記の点に鑑みてなされたものであり、脱臭用のフィルタに吸着された臭気成分を効率よく分解して、脱臭用のフィルタの交換頻度を低減することができ、あるいは脱臭用のフィルタの交換を不要なものとすることができる空気清浄器を提供することを目的とするものである。
【００１１】
【課題を解決するための手段】
本発明の請求項１に係る空気清浄器は、送風手段と、触媒と吸着剤が配置された通気孔を有するシート状部材と、放電手段とを具備する空気清浄器であって、前記送風手段にて発生される気流中にシート状部材が配置されるように前記シート状部材を配設すると共に、前記放電手段を、前記シート状部材よりも気流の上流側に配設される前記上流側導電性電極と、前記シート状部材よりも気流の下流側に配設される前記下流側導電性電極とで構成し、前記シート状部材の前面側の表面及び背面側の表面に、それぞれ、導電性塗料を塗布することにより導電層を形成し、前面側に形成された導電層にて前記シート状部材の表面に接する前記上流側導電性電極を、背面側に形成された導電層に前記シート状部材の表面に接する前記下流側導電性電極をそれぞれ形成し、前記シート状部材を断面波状（蛇腹状）に折り曲げ成形し、前記上流側導電性電極と前記下流側導電性電極を前記シート状部材の形状に沿った形状に形成し、前記上流側導電性電極を構成する前記導電層と、前記下流側導電性電極を構成する前記導電層が、一方を構成する隣り合う前記上流側導電性電極を構成する前記導電層、または前記下流側導電性電極を構成する前記導電層の間に、他方を構成する前記下流側導電性電極を構成する前記導電層、または前記上流側導電性電極を構成する前記導電層が配置されるように、互い違いに配置され、前記上流側導電性電極と前記下流側導電性電極の間の放電により、前記シート状部材の全面に均一に放電することを特徴とするものである。
【００１８】
【発明の実施の形態】
以下、本発明の実施の形態を説明する。
【００１９】
（参考例１）図１，２に示される空気清浄器１は、その外装を構成する本体ケース１１に前面側に開口する収容凹部２４が設けられており、この収容凹部２４の前面の開口部には、この開口部を覆うように、前カバー１２が着脱自在に取り付けられている。この前カバー１２の大部分の領域には、空気清浄器１外部と空気清浄器１の収容凹部２４内とを連通する空気流入部１３が形成されている。この空気流入部１３は、前カバー１２の大部分を網状に形成したり、前カバー１２に多数の小孔を形成したり、あるいは前カバー１２に複数のルーバ片を設けると共に各ルーバ片間に吸い込み口を形成したりすることにより設けられる。
【００２０】
収容凹部２４内には、前面の開口部側から、背面側に向けて、順に、放電ブロック取付部２５、フィルタ取付部２６及びファン収納部１５が形成されている。
【００２１】
ファン収納部１５には、ファン１７が配設されている。ファン収納部１５とフィルタ取付部２６とは、隔壁２７にて仕切られており、この隔壁２７には、ファン収納部１５とフィルタ取付部２６とを連通する複数の通孔２２が形成されている。本体ケース１１の後部の上面部には、本体ケース１１外とファン収納部１５とを連通する空気流出口２３が形成されており、この空気流出口２３は、本体ケース１１後部の上面と、ファン収納部１５の上底面にて開口している。そして、図中に矢印で示すように、ファン１７を運転すると前カバー１２の空気流入部１３から空気が収容凹部２４内に吸い込まれ、この空気はプレフィルタ１８、放電ブロック２、フィルタ部６を順次通過して浄化された後、通孔２２を通ってファン収納部１５に流入し、更に空気流出口２３から外部に排出されるようになっている。以下、単に「上流側」というときは、送風手段であるファン１７によって発生する気流の上流側を意味し、「下流側」というときは送風手段であるファン１７によって発生する気流の下流側を意味するものとする。
【００２２】
放電ブロック２は、空気中の粉塵を帯電させる粉塵帯電手段として、また酸素ラジカル、イオン、電子等の活性種を発生させる活性種発生手段として、また空気中のホルムアルデヒド、アンモニア、酢酸、アセトアルデヒド、ＮＯｘ等の臭気成分を除去する脱臭手段として設けられるものであり、本体ケース１１の前方及び後方に開口する矩形枠状の電極枠１９に、上流側導電性電極ａと下流側導電性電極ｂからなる放電手段と、シート状部材ｃとを配置して構成されている。
【００２３】
シート状部材ｃは、空気が通過可能な多数の通気孔を有するシート状のものである。このシート状部材ｃには触媒と吸着剤が配置される。ここで、触媒としては、ＺｎＯ、ＣｕＯ、ＦｅＯ、ＴｉＯ2、ＭｎＯ2、ＭｇＯ2、ＮｉＯ，ＡｌＣｌ3、Ｖ2Ｏ5、ゼオライト等を用いることができる。また吸着剤としては活性炭を用いることができる。
【００２４】
このシート状部材ｃは、電極枠１９内を前後に仕切るように、電極枠１９に対して着脱自在に取り付けられる。
【００２５】
上流側導電性電極ａは、シート状部材ｃにて仕切られた電極枠１９内の前面側に配設され、そのためシート状部材ｃよりも上流側に配置されている。図１では上流側導電性電極ａは、導電性線材からなる放電線２８を、放電線２８間の間隔をあけて配設することにより構成されており、この上流側導電性電極ａは、その端部に設けられたコイルバネ等のバネ弾性力等により、上流側導電性電極ａとシート状部材ｃとの間に間隔があくように、電極枠１９に着脱自在に取り付けられている。また放電線２８の片側端部または両端部にゴム製や合成樹脂製の弾性及び絶縁性を有するチューブを被せ、振動を吸収する構造となっている。この放電線２８は、例えば線径の細いタングステン線やピアノ線等で形成することができる。また上流側導電性電極ａを、放電線２８の代わりに金網にて構成しても良い。
【００２６】
また、下流側導電性電極ｂは、シート状部材ｃにて仕切られた電極枠１９内の背面側に配設され、そのためシート状部材ｃよりも下流側に配置されている。下流側導電性電極ｂは、導電性鋼板にて構成することができ、例えば導電性鋼板からなる複数のルーバー状の小片２９を、隣り合う小片２９，２９同士の間隔をあけて並列に配列すると共に各小片２９の両端を、下流側導電性電極ｂとシート状部材ｃとの間に間隔があくように、電極枠１９に固定して形成することができる。また、下流側導電性電極ｂは、金網にて構成してもよい。
【００２７】
この上流側導電性電極ａと下流側導電性電極ｂとの間の間隔は、５〜３０ｍｍの範囲とすることが好ましい。
【００２８】
このようにしてシート状部材ｃの上流側及び下流側にそれぞれ上流側導電性電極ａ及び下流側導電性電極ｂを配置することにより、シート状部材ｃが、上流側導電性電極ａと下流側導電性電極ｂの間に発生する放電場内に配置されていることとなる。
【００２９】
このように形成された放電ブロック２の放電ブロック取付部２５からの着脱は、前カバー１２を収容凹部２４の前面開口から取り外すことにより行われ、この状態で放電ブロック２を収容凹部２４の前面開口を通して放電ブロック取付部２５に取り付けられ、あるいは放電ブロック取付部２５から前面開口を通して取り外される。放電ブロック２を本体ケース１１の放電ブロック取付部２５に取り付けられた状態においては、上流側導電性電極ａは電圧Ｖが印加されるようになっており、この電圧Ｖは、４〜１５ｋＶ、好ましくは約６．５ｋＶとするものである。一方、下流側導電性電極ｂはフィルタ部６の集塵フィルタ１０と共に回路の接地側に接続される。
【００３０】
フィルタ取付部２６には、フィルタ部６が着脱自在に取り付けられる。このフィルタ部６の着脱作業は、前カバー１２を収容凹部２４の前面開口から取り外すことにより行われ、この状態でフィルタ部６を収容凹部２４の前面開口を通してフィルタ取付部２６に取り付けられ、あるいはフィルタ取付部２６から前面開口を通して取り外される。フィルタ部６は、脱臭フィルタ７と集塵フィルタ１０とで構成されている。脱臭フィルタ７はホルムアルデヒド、アンモニア、酢酸、アセトアルデヒド、ＮＯｘ等の臭気成分を除去するものであり、フィルタ取付部２６における背面側、すなわち下流側に取付られる。脱臭フィルタ７としては、例えば粒状の活性炭が充填されているものを用いる。また集塵フィルタ１０はフィルタ取付部２６における前面側、すなわち上流側に取付られるものであり、回路の接地側に接続された電気集塵フィルタとして形成されており、放電ブロック２にて帯電された粉塵を吸着するものである。
【００３１】
また、フィルタ部６と前カバー１２との間には、放電ブロック２の更に上流側において、粗い埃を除去するためのプレフィルタ１８が装着されている。
【００３２】
放電ブロック取付部２５は、収容凹部２４のフィルタ取付部２６に取り付けられたフィルタ部６と、前カバー１２との間の空間に形成されるものであり、この放電ブロック取付部２５には、放電ブロック２が着脱自在に取り付けられる。
【００３３】
このようにして構成される空気清浄器１を用いて、室内の空気を清浄化すると、収納凹部２４内には、上流側から下流側に向けて順にプレフィルタ１８、放電ブロック２、フィルタ部６、ファン１７が配設されているため、空気清浄器１の空気流入部１３から収容凹部２４内に流入した空気は、まずプレフィルタ１８にて粗い埃が除去された後、放電ブロック２を通過することにより、細かい粉塵が帯電され、またシート状部材ｃに配置された吸着剤により臭気成分が吸着される。次にフィルタ部６を通過する際に、帯電された細かい粉塵が集塵フィルタ１０に吸着されて除去された後、更に脱臭フィルタ７によって、残存する臭気成分が除去されて、清浄化されるものであり、この清浄化された空気が、空気流出口２３から空気清浄器１外部に排出されるものである。
【００３４】
また、このとき放電ブロック２における上流側導電性電極ａと下流側導電性電極ｂとの間に発生する放電により酸素ラジカル、イオン、電子等の活性種が発生し、この活性種がシート状部材ｃに到達することによりシート状部材ｃに配置されている触媒が活性化され、吸着剤に吸着された臭気成分を分解するものである。このとき上流側導電性電極ａと下流側導電性電極ｂとの間にシート状部材ｃが配置されているので、上流側導電性電極ａと下流側導電性電極ｂとの間で発生した活性種は下流側導電性電極ｂに吸着されることなく高い確率でシート状部材ｃに到達することとなり、臭気成分の分解効率が非常に高いものとなる。そのため吸着剤の寿命を長寿命化させることが可能となり、放電ブロック２のシート状部材ｃの交換頻度を低減することができ、あるいはシート状部材ｃの交換が不要となるものである。また、シート状部材ｃにて長期間に亘り臭気成分の除去が行えるため、フィルタ部６の脱臭フィルタ７における臭気成分の吸着量が低減されることとなり、フィルタ部６の脱臭フィルタ７の交換頻度も低減することができ、あるいは脱臭フィルタ７の交換が不要となるものである。
【００３５】
ここで、シート状部材ｃを不織布にて形成すると、シート状部材ｃを空気が通過する際の抵抗を低減することができて、空気清浄器１に流入された空気流の圧力損失を低減することができるものであり、また高効率な悪臭分解が可能となるものである。更に不織布を用いる場合のようにシート状部材ｃを繊維材料にて成形する場合、シート状部材ｃを構成する繊維材料の一部又は全部として繊維状活性炭を適用すると、吸着剤として吸着性能の優れた繊維状活性炭を用いることにより臭気成分を効率よく捕捉すると共に効果的に分解することができるものであり、しかもシート状部材ｃ自体が吸着剤としての機能を有することとなり、別途に吸着剤を配置する必要がないものである。
【００３６】
放電ブロック２における上流側導電性電極ａ、下流側導電性電極ｂ、及びシート状部材ｃの他の構成としては、図４，５に示すものを挙げることができる。
【００３７】
図４に示す例では、シート状部材ｃとして、樹脂繊維製の不織布等の絶縁性の材料にて形成されている。上流側導電性電極ａは、図１乃至３に示すものと同様に、導電性線材からなる放電線２８を放電線２８，２８間の間隔をあけて配設することにより構成されたものを用いており、また下流側導電性電極ｂも、上流側導電性電極ａと同様に、導電性線材からなる放電線３０を放電線３０，３０間の間隔をあけて配設することにより構成されたものを用いている。更に、この上流側導電性電極ａと下流側導電性電極ｂとはシート状部材ｃの表面に接触するように配設されると共に、上流側導電性電極ａを構成する放電線２８と、下流側導電性電極ｂを構成する放電線３０が、一方を構成する隣り合う放電線２８，２８（３０，３０）の間に、他方を構成する放電線３０（２８）が配置されるように、互い違いに配置されている。上流側導電性電極ａ及び下流側導電性電極ｂと、シート状部材ｃとの間に空間が介在することがなく、放電効率が向上するものであり、またそのため、放電によって発生した活性種がシート状部材ｃへ到達する確率が更に向上し、臭気成分の分解効率が向上するものである。また、上流側導電性電極ａと下流側導電性電極ｂを上記のように互い違いに配置することにより、上流側導電性電極ａと下流側導電性電極ｂの放電は、シート状部材ｃの表面に沿ってなされる沿面放電となり、シート状部材ｃのほぼ全面にわたる放電が可能となって、より臭気成分の分解の効率が向上するものである。
【００３８】
（実施の形態１）図５に示す例では、シート状部材ｃとして、既述と同様のものを用いているが、折り目方向が同一方向である複数回に亘る山折りと谷折りを繰り返して断面波状（蛇腹状）に折り曲げ成形されたものを用いている。ここで、図５（ａ）における横方向の実線は山折り部分３１を、横方向の破線は谷折り部分３２を示している。このシート状部材ｃの前面側の表面及び背面側の表面には、それぞれ、導電性塗料を塗布することにより導電層３３，３４が形成されており、前面側に形成された導電層３３にて上流側導電性電極ａが、背面側に形成された導電層３４にて下流側導電性電極ｂが、それぞれ形成されている。ここで上流側導電性電極ａと下流側導電性電極ｂを構成する導電層３３，３４としては、それぞれシート状部材ｃの折り目方向と直交する方向に複数条のものが間隔をあけて形成されており、更に、上流側導電性電極ａを構成する導電層３３と、下流側導電性電極ｂを構成する導電層３４が、一方を構成する隣り合う導電層３３，３３（３４，３４）の間に、他方を構成する導電層３４（３３）が配置されるように、互い違いに配置されている。
【００３９】
このように、上流側導電性電極ａと下流側導電性電極ｂを、シート状部材ｃの表面に導電性塗料を塗布することにより形成すると、シート状部材ｃの表面に接する上流側導電性電極ａと下流側導電性電極ｂとを容易に成形することができる。また図示のように、シート状部材ｃを断面波状（蛇腹状）に折り曲げ成形する場合のように、シート状部材ｃを折り曲げ成形することにより表面積を増大させて、脱臭効率を向上させた場合であっても、上流側導電性電極ａと下流側導電性電極ｂを、シート状部材ｃの形状に沿った形状に形成することが容易であり、そのため、上流側導電性電極ａと下流側導電性電極ｂの間の放電により、シート状部材ｃの全面に均一に放電することができ、臭気成分の分解効率が向上するものである。
【００４０】
以上に示した例では、放電手段とシート状部材ｃを有する放電ユニット２と、フィルタ部６と、送風手段であるファン１７を、送風手段によって発生する気流の上流側から下流側に向けて、この通りの順番で配設したものであるが、この配設の順番はこの例に限られるものではなく、例えば、上流側からフィルタ部６、放電ユニット２、ファン１７の順に配設しても良いものである。要は、放電手段とシート状部材ｃを有する放電ユニット２を、ファン１７にて発生する気流中に配設し、更にシート状部材ｃの上流側に上流側導電性電極ａを、下流側に下流側導電性電極ｂを配設していれば、シート状部材ｃの吸着剤に吸着した臭気成分を効率よく分解して、シート状部材ｃの交換頻度を低減し、あるいはシート状部材ｃの交換を不要とすることができるものである。
【００４１】
他の参考例を図６に示す。この空気清浄器１は、その外装を構成する本体ケース１１に前面側に開口する収容凹部２４が設けられており、この収容凹部２４の前面の開口部には、この開口部を覆うように、前カバー１２が着脱自在に取り付けられている。この前カバー１２の大部分の領域には、空気清浄器１外部と空気清浄器１の収容凹部２４内とを連通する空気流入部１３が形成されている。この前カバー１２は、前カバー１２の大部分を網状に形成したり、前カバー１２に多数の小孔を形成したり、あるいは前カバー１２に複数のルーバ片を設けると共に各ルーバ片間に吸い込み口を形成したりすることにより設けられる。
【００４２】
収容凹部２４内には、前面の開口部側から、背面の奥部側に向けて、順に、放電ブロック取付部２５、フィルタ取付部２６及びファン収納部１５が形成されている。
【００４３】
ファン収納部１５には、ファン１７が配設されている。ファン収納部１５とフィルタ取付部２６とは、隔壁２７にて仕切られており、この隔壁２７には、ファン収納部１５とフィルタ取付部２６とを連通する複数の通孔２２が形成されている。本体ケース１１の後部の上面部には、本体ケース１１外とファン収納部１５とを連通する空気流出口２３が形成されており、この空気流出口２３は、本体ケース１１後部の上面と、ファン収納部１５の上底面にて開口している。そして、図中に矢印で示すように、ファン１７を運転すると前カバー１２の空気流入部１３から空気が収容凹部２４内に吸い込まれ、この空気はプレフィルタ１８、放電ブロック２、フィルタ部６を順次通過して浄化された後、通孔２２を通ってファン収納部１５に流入し、更に空気流出口２３から外部に排出されるようになっている。以下、単に「上流側」というときは、送風手段であるファン１７によって発生する気流の上流側を意味し、「下流側」というときは送風手段であるファン１７によって発生する気流の下流側を意味するものとする。
【００４４】
放電ブロック２は、空気中の粉塵を帯電させる粉塵帯電手段として、また酸素ラジカル、イオン、電子等の活性種を発生させる活性種発生手段として、また空気中のホルムアルデヒド、アンモニア、酢酸、アセトアルデヒド、ＮＯｘ等の臭気成分を除去する脱臭手段として設けられるものであり、本体ケース１１の前方及び後方に開口する矩形枠状の電極枠１９に、シート状部材ｃと、上流側導電性電極ａとを配置して構成されている。
【００４５】
シート状部材ｃは、空気が通過可能な多数の通気孔を有するシート状のものである。このシート状部材ｃには、導電性材料と、触媒と、吸着剤とが配置される。ここで、触媒としては、ＺｎＯ、ＣｕＯ、ＦｅＯ、ＴｉＯ2、ＭｎＯ2、ＭｇＯ2、ＮｉＯ，ＡｌＣｌ3、Ｖ2Ｏ5、ゼオライト等を用いることができる。また吸着剤としては活性炭を用いることができる。
【００４６】
このシート状部材ｃは、電極枠１９内を前後に仕切るように、電極枠１９に対して着脱自在に取り付けられる。
【００４７】
上流側導電性電極ａは、シート状部材ｃにて仕切られた電極枠１９内の前面側に配設され、そのためシート状部材ｃよりも上流側に配置されている。図６，７では上流側導電性電極ａは、導電性線材からなる放電線２８を、放電線２８間の間隔をあけて配設することにより構成されており、この上流側導電性電極ａは、その端部に設けられたコイルバネ等のバネ弾性力等により、上流側導電性電極ａとシート状部材ｃとの間に間隔があくように、電極枠１９に着脱自在に取り付けられている。また放電線２８の片側端部または両端部にゴム製や合成樹脂製の弾性及び絶縁性を有するチューブを被せ、振動を吸収する構造となっている。この放電線２８は、例えば線径の細いタングステン線やピアノ線等で形成することができる。また上流側導電性電極ａとして、放電線２８の代わりに、金網を用いても良い。
【００４８】
この上流側導電性電極ａとシート状部材ｃとの間の間隔は、０．５〜３０ｍｍの範囲とすることが好ましい。
【００４９】
このように形成された放電ブロック２の放電ブロック取付部２５からの着脱は、前カバー１２を収容凹部２４の前面開口から取り外すことにより行われ、この状態で放電ブロック２を収容凹部２４の前面開口を通って放電ブロック取付部２５に取り付けられ、あるいは放電ブロック取付部２５から前面開口を通して取り外される。放電ブロック２を本体ケース１１の放電ブロック取付部２５に取り付けられた状態においては、上流側導電性電極ａは電圧Ｖが印加されるようになっており、この電圧Ｖは、４〜１５ｋＶ、好ましくは約６．５ｋＶとするものである。一方、シート状部材ｃはフィルタ部６の集塵フィルタ１０と共に回路の接地側に接続される。
【００５０】
フィルタ取付部２６には、フィルタ部６が着脱自在に取り付けられる。このフィルタ部６の着脱作業は、前カバー１２を収容凹部２４の前面開口から取り外すことにより行われ、この状態でフィルタ部６を収容凹部２４の前面開口を通してフィルタ取付部２６に取り付けられ、あるいはフィルタ取付部２６から前面開口を通して取り外される。フィルタ部６は、脱臭フィルタ７と集塵フィルタ１０とで構成されている。脱臭フィルタ７はホルムアルデヒド、アンモニア、酢酸、アセトアルデヒド、ＮＯｘ等の臭気成分を除去するものであり、フィルタ取付部２６における背面側、すなわち下流側に取付られる。脱臭フィルタ７としては、例えば粒状の活性炭が充填されているものを用いる。また集塵フィルタ１０はフィルタ取付部２６における前面側、すなわち上流側に取付られるものであり、回路の接地側に接続された電気集塵フィルタとして形成されており、放電ブロック２にて帯電された粉塵を吸着するものである。
【００５１】
また、フィルタ部６と前カバー１２との間には、放電ブロック２の更に上流側において、粗い埃を除去するためのプレフィルタ１８が装着されている。
【００５２】
このようにして構成される空気清浄器１を用いて、室内の空気を清浄化すると、空気清浄器１の空気流入部１３から収容凹部２４内に流入した空気は、まずプレフィルタ１８にて粗い埃が除去された後、放電ブロック２を通過することにより、細かい粉塵が帯電され、またシート状部材ｃに配置された吸着剤により臭気成分が吸着される。次にフィルタ部６を通過する際に、帯電された細かい粉塵が集塵フィルタ１０に吸着されて除去された後、更に脱臭フィルタ７によって、残存する臭気成分が除去されて、清浄化されるものであり、この清浄化された空気が、空気流出口２３から空気清浄器１外部に排出されるものである。
【００５３】
また、このとき放電ブロック２における上流側導電性電極ａとシート状部材ｃとの間に発生する放電により酸素ラジカル、イオン、電子等の活性種が発生し、この活性種がシート状部材ｃに到達することによりシート状部材ｃに配置されている触媒が活性化され、吸着剤に吸着された臭気成分を分解するものである。このとき上流側導電性電極ａとシート状部材ｃとの間で放電がなされるので、上流側導電性電極ａとシート状部材ｃとの間で発生した活性種は高い確率でシート状部材ｃに到達することとなり、臭気成分の分解効率が非常に高いものとなる。そのため吸着剤の寿命を長寿命化させることが可能となり、放電ブロック２のシート状部材ｃの交換頻度を低減することができ、あるいはシート状部材ｃの交換が不要となるものである。また、シート状部材ｃにて長期間に亘り臭気成分の除去が行えるため、フィルタ部６の脱臭フィルタ７における臭気成分の吸着量が低減されることとなり、フィルタ部６の脱臭フィルタ７の交換頻度も低減することができ、あるいは脱臭フィルタ７の交換が不要となるものである。
【００５４】
ここで、シート状部材ｃを不織布にて形成すると、シート状部材ｃを空気が通過する際の抵抗を低減することができて、空気清浄器１に流入された空気流の圧力損失を低減することができるものであり、また高効率な悪臭分解が可能となるものである。更に不織布を用いる場合のようにシート状部材ｃを繊維材料にて成形する場合、シート状部材ｃを構成する繊維材料の一部又は全部を導電性繊維にて構成すると、シート状部材ｃ自体が導電性材料としての機能を有することとなり、導電性材料を別途に配置する必要がないものである。またシート状部材ｃの全面に亘って導電性材料を均一に配置することができ、シート状部材ｃの全面に亘って均一な放電が可能なものとなって、放電効率が向上するものである。またシート状部材ｃを折り曲げ成形することによりシート状部材ｃの表面積を向上させる場合において、導電性材料をそれに追随して配置することができるものである。この導電性繊維としては、カーボン繊維、銅繊維等の、導電性繊維を用いることができる。またシート状部材ｃを繊維材料にて成形する場合、その一部又は全部として繊維状活性炭を適用すると、吸着剤として吸着性能の優れた繊維状活性炭を用いることにより臭気成分を効率よく捕捉すると共に効果的に分解することができるものであり、しかもシート状部材ｃ自体が吸着剤としての機能を有することとなり、別途に吸着剤を配置する必要がないものである。
【００５５】
放電ブロック２における上流側導電性電極ａ及びシート状部材ｃの他の構成としては、図４，５に示すものを挙げることができる。
【００５６】
図４に示す例では、シート状部材ｃは、樹脂繊維製の不織布等の絶縁性の材料にて形成されている。上流側導電性電極ａは、図６，７に示すものと同様に、導電性線材からなる放電線２８を放電線２８，２８間の間隔をあけて配設することにより構成されたものを用いており、更に、この上流側導電性電極ａはシート状部材ｃの表面に接触するように配設されている。また、シート状部材ｃに導電性材料ｄを配置するにあたっては、シート状部材ｃの背面側の表面に放電線３０を放電線３０，３０間の間隔をあけて配設すると共にシート状部材ｃの表面に接触するように配設している。ここで、上流側導電性電極ａを構成する放電線２８と、シート状部材ｃに導電性材料ｄとして配置されている放電線３０とは、一方を構成する隣合う放電線２８，２８（３０，３０）間に他方を構成する放電線３０（２８）が配置されるように、互い違いに配置されている。上流側導電性電極ａとシート状部材ｃとの間に空間が介在することがなく、放電効率が向上するものであり、またそのため、放電によって発生した活性種がシート状部材ｃへ到達する確率が更に向上し、臭気成分の分解効率が向上するものである。また、上流側導電性電極ａを構成する放電線２８と、導電性材料ｄとして配置されている放電線２８とを、上記のようにシート状部材ｃを介して互い違いに配置することにより、上流側導電性電極ａと導電性材料ｄの放電は、シート状部材ｃの表面に沿ってなされる沿面放電となり、シート状部材ｃのほぼ全面にわたる均一な放電が可能となって、より臭気成分の分解の効率が向上するものである。
【００５７】
本発明の実施の形態１の図５に示す例では、シート状部材ｃとして、図１乃至３に示すものと同様のものを用いているが、折り目方向が同一方向である複数回に亘る山折りと谷折りを繰り返して断面波状（蛇腹状）に折り曲げ成形されたものを用いている。ここで、図５（ａ）における横方向の実線は山折り部分３１を、横方向の破線は谷折り部分３２を示している。このシート状部材ｃの前面側の表面には、導電性塗料を塗布することにより導電層３３が形成されており、この導電層３３にて上流側導電性電極ａが構成されている。またシート状部材ｃの背面側の表面には、導電性塗料を塗布することにより導電層３４が構成されており、この導電層３４にて、シート状部材ｃに配置される導電性材料ｄが構成されている。ここで上流側導電性電極ａと、導電性材料ｄを構成する導電層３３，３４としては、それぞれシート状部材ｃの折り目方向と直交する方向に複数条のものが間隔をあけて形成されており、更に、上流側導電性電極ａを構成する導電層３３と、導電性材料ｄとして配置されている導電層３４が、一方を構成する隣り合う導電層３３，３３（３４，３４）の間に、他方を構成する導電層３４（３３）が配置されるように、互い違いに配置されている。
【００５８】
このように、上流側導電性電極ａを、シート状部材ｃの表面に導電性塗料を塗布することにより形成すると、シート状部材ｃの表面に接する上流側導電性電極ａを容易に成形することができる。またシート状部材ｃの表面に導電性塗料を塗布することによりシート状部材ｃに導電性材料ｄを配置すると、シート状部材ｃに導電性材料ｄを容易に配置することができる。また、上流側導電性電極ａを構成する導電層３３と、導電性材料ｄとして配置されている導電層３４とを、上記のようにシート状部材ｃを介して互い違いに配置することにより、上流側導電性電極ａと導電性材料ｄの間の放電は、シート状部材ｃの表面に沿ってなされる沿面放電となり、シート状部材ｃのほぼ全面にわたる均一な放電が可能となって、より臭気成分の分解の効率が向上するものである。更に、図示のように、シート状部材ｃを断面波状（蛇腹状）に折り曲げ成形する場合のように、シート状部材ｃを折り曲げ成形することにより表面積を増大させて、脱臭効率を向上させた場合であっても、上流側導電性電極ａと導電性材料ｄを、シート状部材ｃの形状に沿った形状に形成することが容易であり、そのため、上流側導電性電極ａと導電性材料ｄの間の放電により、シート状部材ｃの全面に均一に放電することができ、臭気成分の分解効率が向上するものである。
【００５９】
以上に示した例では、上流側導電性電極ａとシート状部材ｃを有する放電ユニット２と、フィルタ部６と、送風手段であるファン１７を、送風手段によって発生する気流の上流側から下流側に向けて、この通りの順番で配設したものであるが、この配設の順番はこの例に限られるものではなく、例えば、上流側からフィルタ部６、放電ユニット２、ファン１７の順に配設しても良いものである。要は、放電ユニット２を、ファン１７にて発生する気流中に配設し、更にシート状部材ｃの上流側に上流側導電性電極ａを配設していれば、シート状部材ｃの吸着剤に吸着した臭気成分を効率よく分解して、シート状部材ｃの交換頻度を低減することができ、あるいはシート状部材ｃの交換を不要とすることができるものである。
【００６４】
【発明の効果】
上記のように、本発明の請求項１に係る空気清浄器は、送風手段と、触媒と吸着剤が配置された通気孔を有するシート状部材と、放電手段とを具備する空気清浄器であって、前記送風手段にて発生される気流中にシート状部材が配置されるように前記シート状部材を配設すると共に、前記放電手段を、前記シート状部材よりも気流の上流側に配設される前記上流側導電性電極と、前記シート状部材よりも気流の下流側に配設される前記下流側導電性電極とで構成し、前記シート状部材の前面側の表面及び背面側の表面に、それぞれ、導電性塗料を塗布することにより導電層を形成し、前面側に形成された導電層にて前記シート状部材の表面に接する前記上流側導電性電極を、背面側に形成された導電層に前記シート状部材の表面に接する前記下流側導電性電極をそれぞれ形成し、前記シート状部材を断面波状（蛇腹状）に折り曲げ成形し、前記上流側導電性電極と前記下流側導電性電極を前記シート状部材の形状に沿った形状に形成し、前記上流側導電性電極を構成する前記導電層と、前記下流側導電性電極を構成する前記導電層が、一方を構成する隣り合う前記上流側導電性電極を構成する前記導電層、または前記下流側導電性電極を構成する前記導電層の間に、他方を構成する前記下流側導電性電極を構成する前記導電層、または前記上流側導電性電極を構成する前記導電層が配置されるように、互い違いに配置され、前記上流側導電性電極と前記下流側導電性電極の間の放電により、前記シート状部材の全面に均一に放電するものであり、シート状部材を折り曲げ成形することにより表面積を増大させて、脱臭効率を向上させた場合であっても、上流側導電性電極と下流側導電性電極を、シート状部材の形状に沿った形状に形成することが容易であり、そのため、上流側導電性電極と下流側導電性電極の間の放電により、シート状部材の全面に均一に放電することができ、臭気成分の分解効率が向上するものである。また、送風手段により空気清浄器に流入した空気は、シート状部材に配置された吸着剤により臭気成分が吸着されるものであり、このとき放電手段による放電により酸素ラジカル、イオン、電子等の活性種が発生し、この活性種がシート状部材に到達することによりシート状部材に配置されている触媒が活性化され、吸着剤に吸着された臭気成分を分解することができるものであり、また、このとき上流側導電性電極と下流側導電性電極との間で発生した活性種は高い確率でシート状部材に到達することとなり、臭気成分の分解効率が非常に高いものとなって、吸着剤の寿命を長寿命化させることが可能となり、シート状部材の交換頻度を低減することができ、あるいはシート状部材の交換が不要とすることができるものであり、また、上流側導電性電極をシート状部材の上流側の表面に接して配置すると共に、下流側導電性電極をシート状部材の下流側の表面に接して配置したため、上流側導電性電極及び下流側導電性電極と、シート状部材との間に空間が介在することがなく、放電効率が向上するものである。またそのため、放電によって発生した活性種がシート状部材へ到達する確率が更に向上し、臭気成分の分解効率が向上するものである。
【図面の簡単な説明】
【図１】  参考例の一例を示す断面図である。
【図２】  同上の分解斜視図である。
【図３】  同上の、放電ユニットとフィルタ部の構成を示す概略図である。
【図４】  放電ユニットの他の構成を示す概略図である。
【図５】  本発明の実施の形態１の放電ユニットの更に他の構成を示す概略図であり、（ａ）は平面図、（ｂ）は側面図である。
【図６】  参考例の他例を示す断面図である。
【図７】  同上の放電ユニットとフィルタ部の構成を示す概略図である。
【符号の説明】
ａ 上流側導電性電極
ｂ 下流側導電性電極
ｃ シート状部材
ｄ 導電性材料
１ 空気清浄器
【図１】
0004465765.tif 000002
【図２】
0004465765.tif 000003
【図３】
0004465765.tif 000004
【図４】
0004465765.tif 000005
【図５】
0004465765.tif 000006
【図６】
0004465765.tif 000007
【図７】
0004465765.tif 000008